(57)【要約】【課題】目標沸上温度を適切に設定することにより、ユーザーの快適性を保ちつつ省エネルギ性を確保することのできる貯湯式給湯機を提供する。【解決手段】貯湯式給湯機は、加熱手段を利用して目標沸上温度に加熱された湯を貯湯タンクへ貯える沸上運転と、貯湯タンクに貯えられた湯を利用して給湯温度設定値の湯を給湯負荷へ供給する給湯運転と、を行う。貯湯式給湯機は、目標沸上温度を設定する目標沸上温度設定手段と、給湯運転が行われたときの給湯温度設定値を記憶する記憶手段と、を備える。目標沸上温度設定手段は、記憶手段に記憶されている給湯温度設定値の中の最大値を特定し、目標沸上温度を最大値以上の値に設定する。【選択図】図３
2018105536.tif 000002
【特許請求の範囲】
【請求項１】
加熱手段を利用して目標沸上温度に加熱された湯を貯湯タンクへ貯える沸上運転と、前記貯湯タンクに貯えられた湯を利用して給湯温度設定値の湯を給湯負荷へ供給する給湯運転と、を行う貯湯式給湯機において、
前記目標沸上温度を設定する目標沸上温度設定手段と、
前記給湯運転が行われたときの前記給湯温度設定値を記憶する記憶手段と、を備え、
前記目標沸上温度設定手段は、前記記憶手段に記憶されている前記給湯温度設定値の中の最大値を特定し、前記目標沸上温度を前記最大値以上の値に設定する給湯温度設定値反映手段を含んで構成されていることを特徴とする貯湯式給湯機。
【請求項２】
前記記憶手段は、予め設定された期間の前記給湯温度設定値を記憶するように構成されていることを特徴とする請求項１に記載の貯湯式給湯機。
【請求項３】
前記記憶手段は、前記給湯運転が開始されてから前記給湯温度設定値が変更されずに設定時間が経過し、且つこの間の使用湯量が閾値以上となった場合に、前記給湯温度設定値を記憶するように構成されていることを特徴とする請求項１又は請求項２に記載の貯湯式給湯機。
【請求項４】
前記目標沸上温度設定手段は、
前記沸上運転の過去の実績に基づいて、一日に必要な必要熱量を算出し、
前記必要熱量に基づいて前記目標沸上温度の候補値を算出し、
前記候補値と前記最大値のうちの大きな方の値を前記目標沸上温度として設定するように構成されていることを特徴とする請求項１から請求項３の何れか１項に記載の貯湯式給湯機。
【請求項５】
前記給湯温度設定値反映手段の実行を制限する制限手段を更に備えることを特徴とする請求項１から請求項４の何れか１項に記載の貯湯式給湯機。
【請求項６】
前記目標沸上温度に、予め設定された最低温度を下限とするガードを設ける下限ガード手段を更に備えることを特徴とする請求項１から請求項５の何れか１項に記載の貯湯式給湯機。
【請求項７】
前記目標沸上温度に、予め設定された最高温度を上限とするガードを設ける上限ガード手段を更に備えることを特徴とする請求項１から請求項６の何れか１項に記載の貯湯式給湯機。
【請求項８】
前記目標沸上温度を使用者が入力するための目標沸上温度入力手段を備え、
前記目標沸上温度設定手段は、前記目標沸上温度が前記目標沸上温度入力手段に入力された場合に、前記給湯温度設定値反映手段の実行を制限するとともに、前記目標沸上温度入力手段によって入力された値を前記目標沸上温度として設定する手段を含んで構成されていることを特徴とする請求項１から請求項７の何れか１項に記載の貯湯式給湯機。
【発明の詳細な説明】
【技術分野】
【０００１】
本発明は、給湯式給湯機に関する。
【背景技術】
【０００２】
一般的に、ヒートポンプを熱源とする貯湯式給湯機では、沸上温度が低いほど同熱量を得るための効率が高くなる。このため、従来の貯湯式給湯機には、使用者の過去の使用実績から１日の必要熱量を計算し、極力低い沸上温度で必要熱量を確保するように目標沸上温度を決定するものがある。ただし、設定された目標沸上温度が給湯温度よりも低くなると、ユーザーの給湯要求を満たすことができない。そこで、例えば、特許文献１の給湯機では、ユーザーに不便を感じさせないようにするための技術が提案されている。この技術では、より詳しくは、過去７日間の使用実績の平均値に基づいて、翌日の必要熱量が算出される。そして、算出された必要熱量に基づいて第一仮目標沸上温度が算出される。また、上記期間の給湯温度設定値の最大値に基づいて、当該最大値よりも高温の第二仮目標沸上温度が算出される。そして、第一仮目標沸上温度及び第二仮目標沸上温度のうち、より温度の高い方の値が目標沸上温度として使用される。
【先行技術文献】
【特許文献】
【０００３】
【特許文献１】特開２０１３−８８０６５号公報
【発明の概要】
【発明が解決しようとする課題】
【０００４】
上記従来の装置では、目標沸上温度を給湯温度設定値よりも高い温度に設定することができる。しかしながら、過去の給湯温度設定値の履歴は、ユーザーの要求を実際に満たした給湯温度のみから構成されているとは限らない。ユーザーによる誤設定も当該履歴に含まれてしまうからである。また、ユーザーが給湯温度設定値を高温側に変更した場合であっても、例えば温度が高すぎて即座に設定値を下げる場合も考えられる。このようなユーザーの意図しない給湯温度設定値を含めて目標沸上温度を設定すると、目標沸上温度が過度に高温に設定されてしまい、エネルギ効率が低下してしまうおそれがある。
【０００５】
本発明は、上述のような課題を解決するためになされたもので、目標沸上温度を適切に設定することにより、ユーザーの快適性を保ちつつ省エネルギ性を確保することのできる貯湯式給湯機を提供することを目的とする。
【課題を解決するための手段】
【０００６】
本発明に係る貯湯式給湯機は、加熱手段を利用して目標沸上温度に加熱された湯を貯湯タンクへ貯える沸上運転と、貯湯タンクに貯えられた湯を利用して給湯温度設定値の湯を給湯負荷へ供給する給湯運転と、を行う貯湯式給湯機において、目標沸上温度を設定する目標沸上温度設定手段と、給湯運転が行われたときの給湯温度設定値を記憶する記憶手段と、を備え、目標沸上温度設定手段は、記憶手段に記憶されている給湯温度設定値の中の最大値を特定し、目標沸上温度を最大値以上の値に設定する給湯温度設定値反映手段を含んで構成されるものである。
【発明の効果】
【０００７】
本発明の貯湯式給湯機によれば、目標沸上温度を適切に設定することができるので、ユーザーの快適性を保ちつつ省エネルギ性を確保することが可能となる。
【図面の簡単な説明】
【０００８】
【図１】実施の形態１における貯湯式給湯機の構成図である。
【図２】実施の形態１の貯湯式給湯機の制御ブロック図である。
【図３】実施の形態１の貯湯式給湯機において、給湯温度履歴を記憶部に記憶する際に制御部によって実行されるルーチンのフローチャートである。
【図４】実施の形態１の貯湯式給湯機において、目標沸上温度を決定する際に制御部によって実行されるルーチンのフローチャートである。
【発明を実施するための形態】
【０００９】
以下、図面を参照して実施の形態について説明する。なお、各図において共通する要素には、同一の符号を付して、重複する説明を省略する。
【００１０】
実施の形態１．
図１は、実施の形態１における貯湯式給湯機の構成図である。図１に示す貯湯式給湯機１００は、貯湯タンクユニット１と熱源機２とを備えている。熱源機２は、例えばヒートポンプサイクルを利用するように構成されたヒートポンプユニットである。貯湯タンクユニット１と熱源機２とは、ヒートポンプ入口配管３とヒートポンプ出口配管４とによって接続されている。また、貯湯タンクユニット１には、制御基板３０が内蔵されている。貯湯タンクユニット１および熱源機２が備える各種の弁類、ポンプ類等の作動は、これらと配線を介して接続された制御基板３０により制御される。以下、貯湯式給湯機１００の各構成要素について説明する。
【００１１】
熱源機２は、貯湯タンクユニット１から導かれた低温水を加熱するための加熱手段として機能するものである。熱源機２は、図示しない圧縮機、沸上用熱交換器、膨張弁、空気熱交換器を冷媒循環配管にて環状に接続し、ヒートポンプサイクルを構成している。沸上用熱交換器は、ヒートポンプサイクルを構成する冷媒循環配管を流れる冷媒と貯湯タンクユニット１から導かれた低温水との間で熱交換を行うためのものである。熱源機２で高温水を得るためには、ヒートポンプサイクルは、冷媒として二酸化炭素を用い、臨界圧を越える圧力で運転することが好ましい。
【００１２】
一方、貯湯タンクユニット１には、以下の各種部品及び配管などが内蔵されている。貯湯タンク１０は、湯水を貯留するためのものである。上述のヒートポンプ入口配管３は、貯湯タンク１０の下部と、熱源機２の沸上用熱交換器の入口との間を繋いでいる。ヒートポンプ入口配管３の途中には、図示しない循環ポンプが接続されている。ヒートポンプ出口配管４は、熱源機２の沸上用熱交換器の出口と、貯湯タンク１０の上部との間を繋いでいる。
【００１３】
貯湯タンク１０の下部には、市水を供給するための給水配管５が接続されている。給水配管５の途中には、市水の温度を検出するための給水サーミスタ８が取り付けられている。貯湯タンク１０の上部には、貯留した湯水を給湯機外部へ供給するための給湯湯側配管６が接続されている。尚、貯湯タンク１０には、熱源機２を用いて加熱された高温水がタンク上部から流入されるとともに、給水配管５を介して低温水をタンク下部から流入させることにより、タンク内の上部と下部で温度差が生じるように湯水が貯留される。また、貯湯タンク１０の表面には、貯湯タンク１０内の湯水の温度分布を検知するための複数の残湯サーミスタ９が高さ方向に並んでそれぞれ取り付けられている。これらの残湯サーミスタ９により取得された温度分布に基づいて、貯湯タンク１０内の残湯量が把握され、熱源機２による貯湯タンク１０内の湯水の沸上運転の開始および停止などが制御される。
【００１４】
給湯湯側配管６は、給水配管５から分岐した給湯水側配管７とともに湯水混合弁１１に接続されている。湯水混合弁１１は、給湯湯側配管６を流れる湯と給湯水側配管７を流れる水とを混合する。湯水混合弁１１によって温度調整された湯水は、ユーザーからの給湯運転の要求を受けて給湯配管１２から外部水栓等の給湯負荷１３へと供給される。また、給湯配管１２には、給湯配管１２を流れる湯の流量を検出する流量カウンタ１７が配置されている。また、給湯配管１２における給湯負荷１３と流量カウンタ１７の間には、給湯配管１２を流れる湯の温度を検知する温度センサ１９が配置されている。
【００１５】
図１に示す貯湯式給湯機１００は、入力部３５を備えている。入力部３５は、例えば浴室又は台所等に設置されるリモコンである。入力部３５は、通信線を介して制御基板３０と接続されている。
【００１６】
図２は、実施の形態１の貯湯式給湯機１００の制御ブロック図である。以下、図２を参照して、制御基板３０及び入力部３５の構成について更に詳しく説明する。図２に示すように、入力部３５は、ユーザー操作を受け付けるボタン等の操作部３１と、液晶ディスプレイ等からなる表示部３３とを備えている。入力部３５は、音声案内を出力可能な音声出力部などをさらに備えてもよい。ユーザーは、貯湯式給湯機１００の各種の運転または動作の設定、予約、実行指令、停止指令等を入力部３５から入力することができる。入力部３５では、ユーザーによる入力部３５の操作に基づいて、給湯負荷１３へ供給する湯の温度である給湯温度設定値等を表示部３３に表示させる。例えば、ユーザーは、操作部３１を操作することによって、給湯温度設定値を変更することができる。給湯温度設定値の最大値は、機器の耐久性を考慮して、一般的には８０℃程度が最大となっている。
【００１７】
制御基板３０は、熱源機駆動部２０、混合弁駆動部２１、パルス検知部２４、ＡＤ（アナログ−ディジタル）変換部２５、制御部２６、記憶部２７、及び通信回路部２８を備えている。制御基板３０は、ユーザーが入力部３５へ入力した指令及び情報に基づいて、熱源機２及び湯水混合弁１１の動作を制御する。
【００１８】
熱源機駆動部２０は、制御部２６による制御の下に熱源機２の動作を制御する。混合弁駆動部２１は、制御部２６による制御の下に湯水混合弁１１の動作を制御する。パルス検知部２４は、流量カウンタ１７から送られてくるパルス信号を検出して検出結果を制御部２６に送る。ＡＤ変換部２５は、残湯サーミスタ９、給水サーミスタ８及び温度センサ１９から送られているアナログの検知信号をそれぞれディジタル信号に変換して制御部２６に送る。記憶手段である記憶部２７には、制御部２６の制御プログラムが予め記憶されている。また、記憶部２７には、ユーザーが入力部３５から指定した給湯温度設定値の履歴に関する情報が記憶されている。
【００１９】
制御部２６は、沸上制御部２６ａ、給湯温度設定値管理部２６ｂ、及び出湯制御部２６ｆを備えている。沸上制御部２６ａは、貯湯タンク１０内に必要量の湯が貯湯されるように、熱源機駆動部２０の動作を制御する。給湯温度設定値管理部２６ｂは、予め設定された設定期間（例えば、過去３日間）の給湯温度設定値の履歴を管理するものである。給湯温度設定値管理部２６ｂは、入力部３５から送信された給湯温度設定値を取得する。そして、給湯温度設定値管理部２６ｂは、取得された給湯温度設定値を出湯制御部２６ｆへ出力する。また、給湯温度設定値管理部２６ｂは、設定期間内の給湯温度設定値を記憶部２７に記憶させる。そして、給湯温度設定値管理部２６ｂは、記憶部２７に記憶されている設定期間内の給湯温度設定値の最大値を給湯温度履歴として記憶部２７に記憶させる。
【００２０】
ここで、実施の形態１の貯湯式給湯機１００では、給湯温度履歴を記憶部２７に記憶させる動作に特徴を有している。以下、フローチャートに沿って、給湯温度履歴の記憶動作について更に詳しく説明する。
【００２１】
図３は、給湯温度履歴を記憶部２７に記憶する際に制御部２６によって実行されるルーチンのフローチャートである。図３に示すルーチンのステップＳ１では、先ず給湯温度設定値が変更されたか否かが判定される。その結果、給湯温度設定値が変更されていない場合には、本ステップが繰り返し実行される。一方、給湯温度設定値が変更された場合には、次のステップＳ２に移行する。
【００２２】
ステップＳ２では、使用湯量の取得が開始される。使用湯量は、ステップＳ１において給湯温度設定値が変更されてから給湯負荷１３へ供給された湯量の積算値である。使用湯量の取得には流量カウンタ１７が用いられる。
【００２３】
次のステップＳ３からステップＳ５では、予め設定された運転条件での給湯運転が行われたかが判定される。なお、ここでの予め設定された運転条件は、ユーザーが給湯温度設定値を変更した場合に、変更後の給湯温度設定値によって給湯運転を継続的に行った場合に実現される条件である。
【００２４】
ステップＳ３では、給湯温度設定値が変更されたか否かがが判定される。その結果、判定の成立が認められた場合には、後述する設定時間が経過する前にユーザーによる給湯温度設定値の変更がなされたと判断されて後述するステップＳ７に移行する。一方、ステップＳ３の判定の成立が認められない場合にはステップＳ４に移行する。ステップＳ４では、上記ステップＳ１において給湯温度設定値が変更されてからの経過時間が予め設定された設定時間以上となったか否かが判定される。なお、ユーザーが給湯温度設定値を変更する際に誤入力した場合には、その後即座に訂正することが考えられる。ここでの設定時間は、ユーザーが給湯温度設定値の誤入力を訂正する可能性のある期間として予め設定された時間（例えば１分）が読み込まれる。
【００２５】
上記ステップＳ４において判定の成立が認められない場合には、未だ設定時間を経過していないと判断されて再度ステップＳ３の処理に戻る。一方、上記ステップＳ４の判定の成立が認められた場合には、ユーザーによる給湯温度設定値の変更がなされずに設定時間が経過したと判断することができる。この場合、次のステップＳ５に移行して、ここまでの使用湯量が予め設定された閾値以上か否かが判定される。なお、ユーザーが給湯温度設定値を変更したとしても、配管長等の影響によって最初の数リットルは給湯温度が安定しない。このため、変更した給湯温度設定値がユーザーの望む給湯温度であったか否かを判断するには、ユーザーが給湯温度設定値を変更してから実際の給湯温度が安定するまで継続的に使用しているか否かを判断する必要がある。ここでの閾値は、上記の判断を行うための使用湯量の閾値であって、例えば１０リットルに設定される。
【００２６】
上記ステップＳ５において、判定の成立が認められた場合には、給湯温度設定値がユーザーによって実際に継続使用された給湯温度であると判断することができる。この場合、次のステップＳ６に移行して、給湯温度設定値が日付等の時間情報と関連付けられた上で記憶部２７に記憶される。また、ステップＳ６では、予め設定された設定期間内（例えば、過去３日間）に記憶された給湯温度設定値の中の最大値が給湯温度履歴として記憶部２７に記憶される。
【００２７】
一方、上記ステップＳ５において、判定の成立が認められない場合又は上記ステップＳ３において判定の成立が認められた場合には、給湯温度設定値がユーザーによって実際に継続使用されていない給湯温度であると判断することができる。この場合、次のステップＳ７に移行して、給湯温度設定値が記憶部２７に記憶されずに本ルーチンは終了される。
【００２８】
以上のような処理によって記憶された給湯温度履歴によれば、ユーザーが実際に継続使用した給湯温度設定値の中から給湯温度履歴を特定して記憶部２７に記憶させることができる。
【００２９】
再び図２に戻り、第一の仮目標沸上温度算出部２６ｃは、沸上完了後の残湯サーミスタ９の検出結果に基づいて、１日の使用実績を算出する。算出された使用実績は、日付と関連付けられた上で記憶部２７に記憶される。
【００３０】
なお、１日の使用実績は、例えば以下の算出式によって算出することができる。
［１日の使用実績］＝［前日のタンク残湯熱量］−［当日のタンク残湯熱量］・・・（１）
［タンク残湯熱量］＝［タンク容量］×［タンク平均温度］・・・（２）
【００３１】
上式（１）において、前日のタンク残湯熱量は、一日の開始時点でのタンク残湯熱量のことである。また、当日のタンク残湯熱量は、一日の終了時点でのタンク残湯熱量のことである。また、上式（２）において、タンク容量は貯湯タンク１０の容量であり、記憶部２７に予め記憶されている。また、タンク平均温度は、残湯サーミスタ９の検出結果である湯温を、該当するタンク容量の全体に対して占める割合で加重平均することによって算出される。
【００３２】
また、第一の仮目標沸上温度算出部２６ｃは、記憶部２７に記憶された期間（例えば過去７日間）の使用実績の平均値に基づいて、翌日の必要熱量を算出する。また、第一の仮目標沸上温度算出部２６ｃは、算出された翌日の必要熱量に基づいて、目標沸上温度の候補値の一つである第一の仮目標沸上温度を算出し、目標沸上温度決定部２６ｅへ出力する。
【００３３】
必要熱量は、今回の沸上から次回の沸上までの給湯に必要な熱量、すなわち、翌日の給湯に必要な熱量であり、例えば以下の式によって算出することができる。
［必要熱量］＝［過去７日間の使用実績の平均値］・・・（３）
【００３４】
第一の仮目標沸上温度(Tm)は、貯湯槽の容量（Lt）、貯湯槽給水温度（Tw）、出湯温度代表値（Td）、必要貯湯量（Lh）とすると、例えば以下の式で表される。必要貯湯量（Lh）は、上式（３）にて算出された必要熱量を出湯温度代表値（Td）によって得るための湯量である。なお、給湯温度設定値はユーザーによって任意に設定されるので、ここでの出湯温度代表値（Td）は固定温度（例えば４５℃）としている。
Td×Lh  ＝  ( Tw × ( Lh − Lt)) + (Tm × Lh)・・・（４）
上式（４）を変形すると、第一の仮目標沸上温度(Tm)は次式（５）で表される。
Tm = {  ( Lh×( Td ‐ Tw))  /  Lt )  }  +  Tw  ・・・（５）
【００３５】
一般的に、湯の沸上温度(Tm)を６５℃よりも低い温度に設定すると、レジオネラ菌が発生するおそれがある。このため、第一の仮目標沸上温度(Tm)は、６５℃以上に設定されることが好ましい。例えば、必要貯湯量(Lh)が少量であり湯の目標沸上温度(Tm)が６５℃を下回る場合には、最低温度である６５℃を下限として目標沸上温度(Tm)をガードする構成が好ましい。沸上温度が６５℃に固定されると、上式（４）は次式（６）のように表される。
【００３６】
Td×Lh  ＝  ( Tw × ( Lh − Lw)) + (６５℃ × Lh)・・・（６）
上式（６）を変形すると、沸上量(Lw)は次式（７）で表される。このように、沸上温度を６５℃に固定した場合には、沸上量(Lw)によって必要貯湯量（Lh）の調整を行うことが好ましい。
Lw=  Lh − {  ( ( Td × Lh) − (６５℃×Lh ) )  /  Tw  }  ・・・（７）
【００３７】
また、第一の仮目標沸上温度（Tm）は、ユーザーが任意に入力部３５により設定してもよい。この場合、前述の６５℃以上で、ユーザーの設定した目標沸上温度（Tu）とすると、沸上量(Lw)は次式（８）で表される。
Lw=  Lh − {  ( ( Td × Lh) − (Tu×Lh ) )  /  Tw  }  ・・・（８）
【００３８】
第二の仮目標沸上温度算出部２６ｄは、目標沸上温度の候補値の一つである第二の仮目標沸上温度を算出する。より詳しくは、第二の仮目標沸上温度算出部２６ｄは、記憶部２７に記憶された設定期間内の給湯温度設定値の最大値である給湯温度履歴を読み出す。そして、第二の仮目標沸上温度算出部２６ｄは、読み出された給湯温度履歴を、第二の仮目標沸上温度として目標沸上温度決定部２６ｅへ出力する。
[第二の仮目標沸上温度（℃）］＝［給湯温度設定値の最大値（℃）］・・・（９）
【００３９】
例えば、ユーザーが当日に６５℃、前日に６８℃、前々日に７０℃で実際に給湯を行った場合には、給湯温度設定値の最大値である７０℃に基づいて第二の仮目標沸上温度が設定される。第二の仮目標沸上温度（℃）(Tr)とすると、沸上量（Lw）は以下の式（１０）で表される。
Lw=  Lh − {  ( ( Td × Lh) − (Tr×Lh ) )  /  Tw  }  ・・・（１０）
【００４０】
目標沸上温度決定部２６ｅは、第一の仮目標沸上温度及び第二の仮目標沸上温度を取得する。そして、目標沸上温度決定部２６ｅは、第一の仮目標沸上温度及び第二の仮目標沸上温度の高い方を目標沸上温度に決定し、熱源機駆動部２０へ出力する。
【００４１】
熱源機駆動部２０は、目標沸上温度を取得し、目標沸上温度に基づいて熱源機２を制御する。これにより、貯湯タンク１０内の水は目標沸上温度に加熱される。
【００４２】
出湯制御部２６ｆは、給湯温度設定値及び流量カウンタ１７の検出結果（流量）を取得する。そして、出湯制御部２６ｆは、給湯温度設定値及び流量カウンタ１７の検出結果に基づいて湯水混合弁１１を制御する。これにより、給湯温度設定値に調整された湯を給湯負荷１３へ供給する給湯運転が実現される。
【００４３】
次に、実施の形態１の貯湯式給湯機１００において目標沸上温度を決定する際に実行されるルーチンについて、フローチャートに沿って更に詳しく説明する。
【００４４】
図４は、実施の形態１の貯湯式給湯機１００において目標沸上温度を決定する際に制御部２６によって実行されるルーチンのフローチャートである。図４に示すルーチンのステップＳ１１では、各種パラメータが取得される。ここでは、具体的には、貯湯槽の容量（Lt）、貯湯槽給水温度（Tw）、出湯温度代表値（Td）及び必要貯湯量（Lh）が取得されて第一の仮目標沸上温度算出部２６ｃに読み込まれる。
【００４５】
次のステップＳ１２では、第一の仮目標沸上温度と第二の仮目標沸上温度とが算出される。ここでは、具体的には、第一の仮目標沸上温度算出部２６ｃでは、ステップＳ１１で取得されたパラメータと上式（５）を用いることにより、第一の仮目標沸上温度が算出される。また、第二の仮目標沸上温度算出部２６ｄでは、記憶部２７に記憶された給湯温度履歴と上式（９）を用いることにより、第二の仮目標沸上温度が算出される。
【００４６】
次のステップＳ１３では、目標沸上温度決定部２６ｅにおいて、第一の仮目標沸上温度及び第二の仮目標沸上温度のうちの高い方が、目標沸上温度として設定される。次のステップＳ１４では、上記ステップＳ１３において設定された目標沸上温度が下限値（例えば６５℃）よりも低いか否かが判定される。その結果、目標沸上温度が下限値以上の場合には、本ルーチンは終了される。一方、目標沸上温度が下限値より低い場合には、次のステップＳ１５に移行する。ステップＳ１５では、目標沸上温度が下限値に設定されて本ルーチンは終了される。
【００４７】
以上説明した実施の形態１の貯湯式給湯機１００によれば、ユーザーが実際に継続使用して問題のなかった給湯温度設定値に基づいて給湯温度履歴が算出される。このような動作によれば、目標沸上温度が必要以上に高くなることを防ぐことができる。また、実施の形態１の貯湯式給湯機１００によれば、目標沸上温度は、給湯温度設定値の最大値以上の値に設定されるので、ユーザーによって設定された給湯温度設定値を実現できない事態を回避することができる。このように、実施の形態１の貯湯式給湯機１００によれば、ユーザーの快適性を保ちつつ省エネルギ性を確保することが可能となる。
【００４８】
ところで、上述した実施の形態１の貯湯式給湯機１００では、目標沸上温度に予め設定された最高温度を上限とするガードを設けてもよい。最高温度は、機器の性能及び耐久性等を考慮して設定される上限温度である。これにより、機器の信頼性を高めることが可能となる。
【００４９】
また、ユーザーによっては、直近の必要とする給湯温度を把握している場合も考えられる。そこで、ユーザーが入力部３５により目標沸上温度を入力した場合には、上述した目標沸上温度の設定の実行を制限して、ユーザーが任意に入力した値を目標沸上温度に設定してもよい。
【符号の説明】
【００５０】
１  貯湯タンクユニット、  ２  熱源機、  ３  ヒートポンプ入口配管、  ４  ヒートポンプ出口配管、  ５  給水配管、  ６  給湯湯側配管、  ７  給湯水側配管、  ８  給水サーミスタ、  ９  残湯サーミスタ、  １０  貯湯タンク、  １１  湯水混合弁、  １２  給湯配管、  １３  給湯負荷、  １７  流量カウンタ、  １９  温度センサ、  ２０  熱源機駆動部、  ２１  混合弁駆動部、  ２４  パルス検知部、  ２５  ＡＤ変換部、  ２６  制御部、  ２６ａ  沸上制御部、  ２６ｂ  給湯温度設定値管理部、  ２６ｃ  第一の仮目標沸上温度算出部、  ２６ｄ  第二の仮目標沸上温度算出部、  ２６ｅ  目標沸上温度決定部、  ２６ｆ  出湯制御部、  ２７  記憶部、  ２８  通信回路部、  ３０  制御基板、  ３１  操作部、  ３３  表示部、  ３５  入力部、  １００  貯湯式給湯機
【図１】
2018105536.tif 000003
【図２】
2018105536.tif 000004
【図３】
2018105536.tif 000005
【図４】
2018105536.tif 000006